【手続補正書】
【提出日】平成26年3月25日(2014.3.25)
【手続補正１】
【補正対象書類名】特許請求の範囲
【補正対象項目名】全文
【補正方法】変更
【補正の内容】
【特許請求の範囲】
【請求項１】
コンテンツデータを再生するコンテンツ再生装置と、当該コンテンツ再生装置が再生し伝送されるコンテンツデータに信号処理を施し出力するコンテンツ出力装置とからなるコンテンツデータ伝送システムにおいて、
前記コンテンツ再生装置は、再生装置基準動作クロック信号を発生する再生装置基準動作クロック発生部と、
前記コンテンツ出力装置からデジタルオーディオインターフェース伝送ケーブルを介して伝送される動作クロック信号を受信し当該動作クロック信号に同期した受信動作クロック信号を出力するとともにコンテンツデータのうちオーディオデータの入出力を行うデジタルオーディオインターフェース入出力部と、
前記再生装置基準動作クロック信号と前記受信動作クロック信号のいずれかを用いて再生装置動作クロック信号に変換する再生装置動作クロック変換部と、
前記再生装置動作クロック信号に基づいて動作し、記憶媒体からコンテンツデータを読み出し、またはネットワークからコンテンツデータを受信して、当該コンテンツデータを出力するコンテンツ発生部と、
前記コンテンツ発生部が出力したコンテンツデータに信号処理を施し前記コンテンツデータのうちオーディオデータの前記デジタルオーディオインターフェース入出力部との間の入出力を行う再生装置信号処理部と、
前記再生装置動作クロック信号に基づいて動作し前記再生装置信号処理部が信号処理を施したコンテンツデータをマルチメディアデータ伝送ケーブルを介して前記コンテンツ出力装置に出力するデータ出力部と、
前記コンテンツ再生装置全体を制御すると共に前記再生装置動作クロック信号を制御する再生装置制御部とを備え、
前記コンテンツ出力装置は、出力装置基準動作クロック信号を発生する出力装置基準動作クロック発生部と、
前記出力装置基準動作クロック信号に基づいて前記コンテンツ再生装置に伝送する動作クロック信号を生成してデジタルオーディオインターフェース伝送ケーブルを介して前記コンテンツ再生装置に送信するデジタルオーディオインターフェースクロック出力部と、
前記コンテンツ再生装置からデジタルオーディオインターフェース伝送ケーブルを介して伝送されるオーディオ信号を入力するデジタルオーディオインターフェースオーディオ入力部と、
前記コンテンツ再生装置に伝送するオーディオ信号をデジタルオーディオインターフェース伝送ケーブルを介して前記コンテンツ再生装置に出力するデジタルオーディオインターフェースオーディオ出力部と、
前記出力装置基準動作クロック信号に基づいて動作し前記コンテンツ再生装置から前記マルチメディアデータ伝送ケーブルを介して伝送されてきたコンテンツデータが入力されるデータ入力部と、
前記データ入力部が入力したコンテンツデータまたは前記デジタルオーディオインターフェースオーディオ入力部が入力したオーディオデータに信号処理を施すとともに前記コンテンツデータのうちオーディオデータの前記デジタルオーディオインターフェース出力部への出力を行う出力装置信号処理部と、
前記出力装置基準動作クロック信号に基づいて動作しコンテンツデータまたはオーディオデータを外部に出力する出力部と、
前記コンテンツ出力装置全体を制御すると共に前記コンテンツ再生装置に前記出力装置基準動作クロック信号に同期した動作クロック信号を前記デジタルオーディオインターフェースクロック出力部から伝送するよう制御する出力装置制御部とを備え、
前記再生装置制御部は、前記デジタルオーディオインターフェース入出力部が前記コンテンツ出力装置から動作クロック信号を受信した場合、前記再生装置動作クロック変換部が前記受信動作クロック信号を用いて再生装置動作クロック信号に変換するよう前記再生装置動作クロック変換部を制御し、
前記デジタルオーディオインターフェース入出力部が前記コンテンツ出力装置から予め定めた時間内に動作クロック信号を受信しなかった場合、前記再生装置動作クロック変換部が前記再生装置基準動作クロック信号を用いて再生装置動作クロック信号に変換するよう前記再生装置動作クロック変換部を制御することを特徴とするコンテンツデータ伝送システム。
【請求項２】
請求項１に記載のコンテンツデータ伝送システムであって、前記デジタルオーディオインターフェースクロック出力部は、動作クロック信号を伝送する際、動作クロック信号であることを示す情報を付加して前記コンテンツ再生装置に伝送し、前記デジタルオーディオインターフェース入出力部は、前記動作クロック信号であることを示す情報を識別して、動作クロック信号の受信動作を行うことを特徴とするコンテンツデータ伝送システム。
【請求項３】
コンテンツデータを再生して、他の装置にコンテンツデータを出力するコンテンツ再生装置であって、
再生装置基準動作クロック信号を発生する再生装置基準動作クロック発生部と、
他の装置からデジタルオーディオインターフェース伝送ケーブルを介して伝送される動作クロック信号を受信し当該動作クロック信号に同期した受信動作クロック信号を出力するとともにコンテンツデータのうちオーディオデータの入出力を行うデジタルオーディオインターフェース入出力部と、
前記再生装置基準動作クロック信号と前記受信動作クロック信号のいずれかを用いて再生装置動作クロック信号に変換する再生装置動作クロック変換部と、
前記再生装置動作クロック信号に基づいて動作し、記憶媒体からコンテンツデータを読み出し、またはネットワークからコンテンツデータを受信して、当該コンテンツデータを出力するコンテンツ発生部と、
前記コンテンツ発生部が出力したコンテンツデータに信号処理を施し前記コンテンツデータのうちオーディオデータの前記デジタルオーディオインターフェース入出力部との間の入出力を行う再生装置信号処理部と、
前記再生装置動作クロック信号に基づいて動作し前記再生装置信号処理部が信号処理を施したコンテンツデータをマルチメディアデータ伝送ケーブルを介して他の装置に出力するデータ出力部と、
前記コンテンツ再生装置全体を制御すると共に前記再生装置動作クロック信号を制御する再生装置制御部とを備え、
前記再生装置制御部は、前記デジタルオーディオインターフェース入出力部が他の装置から動作クロック信号を受信した場合、前記再生装置動作クロック変換部が前記受信動作クロック信号を用いて再生装置動作クロック信号に変換するよう前記再生装置動作クロック変換部を制御し、
前記デジタルオーディオインターフェース入出力部が他の装置から予め定めた時間内に動作クロック信号を受信しなかった場合、前記再生装置動作クロック変換部が前記再生装置基準動作クロック信号を用いて再生装置動作クロック信号に変換するよう前記再生装置動作クロック変換部を制御することを特徴とするコンテンツ再生装置。
【請求項４】
他の装置から入力されるコンテンツデータに信号処理を施し出力するコンテンツ出力装置であって、
出力装置基準動作クロック信号を発生する出力装置基準動作クロック発生部と、
前記出力装置基準動作クロック信号に基づいて動作クロック信号を生成してデジタルオーディオインターフェース伝送ケーブルを介して他の装置に送信するデジタルオーディオインターフェースクロック出力部と、
他の装置からデジタルオーディオインターフェース伝送ケーブルを介して伝送されるオーディオ信号を入力するデジタルオーディオインターフェースオーディオ入力部と、
他の装置に伝送するオーディオ信号をデジタルオーディオインターフェース伝送ケーブルを介して他の装置に出力するデジタルオーディオインターフェースオーディオ出力部と、
前記出力装置基準動作クロック信号に基づいて動作し他の装置から前記マルチメディアデータ伝送ケーブルを介して伝送されてきたコンテンツデータが入力されるデータ入力部と、
前記データ入力部が入力したコンテンツデータまたは前記デジタルオーディオインターフェースオーディオ入力部が入力したオーディオデータに信号処理を施すとともに前記コンテンツデータのうちオーディオデータの前記デジタルオーディオインターフェース出力部への出力を行う出力装置信号処理部と、
前記出力装置基準動作クロック信号に基づいて動作しコンテンツデータまたはオーディオデータを外部に出力する出力部と、
前記コンテンツ出力装置全体を制御すると共に前記コンテンツ再生装置に前記出力装置基準動作クロック信号に同期した動作クロック信号を前記デジタルオーディオインターフェースクロック出力部から伝送するよう制御する出力装置制御部とを備えることを特徴とするコンテンツ出力装置。
【請求項５】
コンテンツデータを再生するコンテンツ再生装置と当該コンテンツ再生装置が再生し伝送されるコンテンツデータに信号処理を施し出力するコンテンツ出力装置との間をコンテンツデータを伝送するマルチメディアデータ伝送ケーブル及び動作クロック信号を伝送するデジタルオーディオインターフェース伝送ケーブルで接続し、前記コンテンツ再生装置から前記コンテンツ出力装置にコンテンツデータを伝送する方法であって、
前記コンテンツ再生装置内で再生装置基準動作クロック信号を発生するステップと、
前記コンテンツ出力装置内で出力装置基準動作クロック信号を発生するステップと、
前記出力装置基準動作クロック信号に基づいて前記出力装置基準動作クロック信号に同期した動作クロック信号を生成し動作クロック信号であることを示す情報を付加してデジタルオーディオインターフェース伝送ケーブルを介して前記コンテンツ再生装置に伝送するステップと、
前記コンテンツ出力装置から前記デジタルオーディオインターフェース伝送ケーブルを介して伝送されてきた動作クロック信号であることを示す情報を識別して動作クロック信号を前記コンテンツ再生装置が受信し当該動作クロック信号に同期した再生装置受信動作クロック信号を出力するステップと、
前記コンテンツ再生装置が前記コンテンツ出力装置から動作クロック信号を受信した場合、前記再生装置受信動作クロック信号を用いて再生装置動作クロック信号に変換し、前記コンテンツ再生装置が前記コンテンツ出力装置から予め定めた時間内に動作クロック信号を受信しなかった場合、前記再生装置基準動作クロック信号を用いて再生装置動作クロック信号に変換するステップと、
前記再生装置動作クロック信号に基づいて動作しコンテンツデータを再生するステップと、
前記再生装置動作クロック信号に基づいて動作し前記コンテンツデータを前記マルチメディアデータ伝送ケーブルを介して前記コンテンツ出力装置に伝送するステップと、
前記出力装置基準動作クロック信号に基づいて動作し前記コンテンツ再生装置から前記マルチメディアデータ伝送ケーブルを介して伝送されてきたコンテンツデータが前記コンテンツ出力装置に入力されるステップと、
前記出力装置基準動作クロック信号に基づいて動作しコンテンツデータを前記コンテンツ出力装置から外部に出力するステップとを備えることを特徴とするコンテンツデータ伝送方法。
【手続補正２】
【補正対象書類名】明細書
【補正対象項目名】発明の名称
【補正方法】変更
【補正の内容】
【発明の名称】コンテンツデータ伝送システム、コンテンツ再生装置、コンテンツ出力装置、及びコンテンツデータ伝送方法
【手続補正３】
【補正対象書類名】明細書
【補正対象項目名】００１６
【補正方法】変更
【補正の内容】
【００１６】
本願発明に係るコンテンツデータ伝送システムは、コンテンツデータを再生するコンテンツ再生装置と、当該コンテンツ再生装置が再生し伝送されるコンテンツデータに信号処理を施し出力するコンテンツ出力装置とからなるコンテンツデータ伝送システムにおいて、前記コンテンツ再生装置は、再生装置基準動作クロック信号を発生する再生装置基準動作クロック発生部と、前記コンテンツ出力装置からデジタルオーディオインターフェース伝送ケーブルを介して伝送される動作クロック信号を受信し当該動作クロック信号に同期した受信動作クロック信号を出力するとともにコンテンツデータのうちオーディオデータの入出力を行うデジタルオーディオインターフェース入出力部と、前記再生装置基準動作クロック信号と前記受信動作クロック信号のいずれかを用いて再生装置動作クロック信号に変換する再生装置動作クロック変換部と、前記再生装置動作クロック信号に基づいて動作し、記憶媒体からコンテンツデータを読み出し、またはネットワークからコンテンツデータを受信して、当該コンテンツデータを出力するコンテンツ発生部と、前記コンテンツ発生部が出力したコンテンツデータに信号処理を施し前記コンテンツデータのうちオーディオデータの前記デジタルオーディオインターフェース入出力部との間の入出力を行う再生装置信号処理部と、前記再生装置動作クロック信号に基づいて動作し前記再生装置信号処理部が信号処理を施したコンテンツデータをマルチメディアデータ伝送ケーブルを介して前記コンテンツ出力装置に出力するデータ出力部と、前記コンテンツ再生装置全体を制御すると共に前記再生装置動作クロック信号を制御する再生装置制御部とを備え、前記コンテンツ出力装置は、出力装置基準動作クロック信号を発生する出力装置基準動作クロック発生部と、前記出力装置基準動作クロック信号に基づいて前記コンテンツ再生装置に伝送する動作クロック信号を生成してデジタルオーディオインターフェース伝送ケーブルを介して前記コンテンツ再生装置に送信するデジタルオーディオインターフェースクロック出力部と、前記コンテンツ再生装置からデジタルオーディオインターフェース伝送ケーブルを介して伝送されるオーディオ信号を入力するデジタルオーディオインターフェースオーディオ入力部と、前記コンテンツ再生装置に伝送するオーディオ信号をデジタルオーディオインターフェース伝送ケーブルを介して前記コンテンツ再生装置に出力するデジタルオーディオインターフェースオーディオ出力部と、前記出力装置基準動作クロック信号に基づいて動作し前記コンテンツ再生装置から前記マルチメディアデータ伝送ケーブルを介して伝送されてきたコンテンツデータが入力されるデータ入力部と、前記データ入力部が入力したコンテンツデータまたは前記デジタルオーディオインターフェースオーディオ入力部が入力したオーディオデータに信号処理を施すとともに前記コンテンツデータのうちオーディオデータの前記デジタルオーディオインターフェース出力部への出力を行う出力装置信号処理部と、前記出力装置基準動作クロック信号に基づいて動作しコンテンツデータまたはオーディオデータを外部に出力する出力部と、前記コンテンツ出力装置全体を制御すると共に前記コンテンツ再生装置に前記出力装置基準動作クロック信号に同期した動作クロック信号を前記デジタルオーディオインターフェースクロック出力部から伝送するよう制御する出力装置制御部とを備え、前記再生装置制御部は、前記デジタルオーディオインターフェース入出力部が前記コンテンツ出力装置から動作クロック信号を受信した場合、前記再生装置動作クロック変換部が前記受信動作クロック信号を用いて再生装置動作クロック信号に変換するよう前記再生装置動作クロック変換部を制御し、前記デジタルオーディオインターフェース入出力部が前記コンテンツ出力装置から予め定めた時間内に動作クロック信号を受信しなかった場合、前記再生装置動作クロック変換部が前記再生装置基準動作クロック信号を用いて再生装置動作クロック信号に変換するよう前記再生装置動作クロック変換部を制御するものである。
また、本願発明に係るコンテンツデータ伝送システムは、前記デジタルオーディオインターフェースクロック出力部は、動作クロック信号を伝送する際、動作クロック信号であることを示す情報を付加して前記コンテンツ再生装置に伝送し、前記デジタルオーディオインターフェース入出力部は、前記動作クロック信号であることを示す情報を識別して、動作クロック信号の受信動作を行うものである。
【手続補正４】
【補正対象書類名】明細書
【補正対象項目名】００１７
【補正方法】変更
【補正の内容】
【００１７】
本願発明に係るコンテンツ再生装置は、コンテンツデータを再生して、他の装置にコンテンツデータを出力するコンテンツ再生装置であって、再生装置基準動作クロック信号を発生する再生装置基準動作クロック発生部と、他の装置からデジタルオーディオインターフェース伝送ケーブルを介して伝送される動作クロック信号を受信し当該動作クロック信号に同期した受信動作クロック信号を出力するとともにコンテンツデータのうちオーディオデータの入出力を行うデジタルオーディオインターフェース入出力部と、前記再生装置基準動作クロック信号と前記受信動作クロック信号のいずれかを用いて再生装置動作クロック信号に変換する再生装置動作クロック変換部と、前記再生装置動作クロック信号に基づいて動作し、記憶媒体からコンテンツデータを読み出し、またはネットワークからコンテンツデータを受信して、当該コンテンツデータを出力するコンテンツ発生部と、前記コンテンツ発生部が出力したコンテンツデータに信号処理を施し前記コンテンツデータのうちオーディオデータの前記デジタルオーディオインターフェース入出力部との間の入出力を行う再生装置信号処理部と、前記再生装置動作クロック信号に基づいて動作し前記再生装置信号処理部が信号処理を施したコンテンツデータをマルチメディアデータ伝送ケーブルを介して他の装置に出力するデータ出力部と、前記コンテンツ再生装置全体を制御すると共に前記再生装置動作クロック信号を制御する再生装置制御部とを備え、前記再生装置制御部は、前記デジタルオーディオインターフェース入出力部が他の装置から動作クロック信号を受信した場合、前記再生装置動作クロック変換部が前記受信動作クロック信号を用いて再生装置動作クロック信号に変換するよう前記再生装置動作クロック変換部を制御し、前記デジタルオーディオインターフェース入出力部が他の装置から予め定めた時間内に動作クロック信号を受信しなかった場合、前記再生装置動作クロック変換部が前記再生装置基準動作クロック信号を用いて再生装置動作クロック信号に変換するよう前記再生装置動作クロック変換部を制御するものである。
本願発明に係るコンテンツ出力装置は、他の装置から入力されるコンテンツデータに信号処理を施し出力するコンテンツ出力装置であって、出力装置基準動作クロック信号を発生する出力装置基準動作クロック発生部と、前記出力装置基準動作クロック信号に基づいて動作クロック信号を生成してデジタルオーディオインターフェース伝送ケーブルを介して他の装置に送信するデジタルオーディオインターフェースクロック出力部と、他の装置からデジタルオーディオインターフェース伝送ケーブルを介して伝送されるオーディオ信号を入力するデジタルオーディオインターフェースオーディオ入力部と、他の装置に伝送するオーディオ信号をデジタルオーディオインターフェース伝送ケーブルを介して他の装置に出力するデジタルオーディオインターフェースオーディオ出力部と、前記出力装置基準動作クロック信号に基づいて動作し他の装置から前記マルチメディアデータ伝送ケーブルを介して伝送されてきたコンテンツデータが入力されるデータ入力部と、前記データ入力部が入力したコンテンツデータまたは前記デジタルオーディオインターフェースオーディオ入力部が入力したオーディオデータに信号処理を施すとともに前記コンテンツデータのうちオーディオデータの前記デジタルオーディオインターフェース出力部への出力を行う出力装置信号処理部と、前記出力装置基準動作クロック信号に基づいて動作しコンテンツデータまたはオーディオデータを外部に出力する出力部と、前記コンテンツ出力装置全体を制御すると共に前記コンテンツ再生装置に前記出力装置基準動作クロック信号に同期した動作クロック信号を前記デジタルオーディオインターフェースクロック出力部から伝送するよう制御する出力装置制御部とを備えるものである。
本願発明に係るコンテンツデータ伝送方法は、コンテンツデータを再生するコンテンツ再生装置と当該コンテンツ再生装置が再生し伝送されるコンテンツデータに信号処理を施し出力するコンテンツ出力装置との間をコンテンツデータを伝送するマルチメディアデータ伝送ケーブル及び動作クロック信号を伝送するデジタルオーディオインターフェース伝送ケーブルで接続し、前記コンテンツ再生装置から前記コンテンツ出力装置にコンテンツデータを伝送する方法であって、前記コンテンツ再生装置内で再生装置基準動作クロック信号を発生するステップと、前記コンテンツ出力装置内で出力装置基準動作クロック信号を発生するステップと、前記出力装置基準動作クロック信号に基づいて前記出力装置基準動作クロック信号に同期した動作クロック信号を生成し動作クロック信号であることを示す情報を付加してデジタルオーディオインターフェース伝送ケーブルを介して前記コンテンツ再生装置に伝送するステップと、前記コンテンツ出力装置から前記デジタルオーディオインターフェース伝送ケーブルを介して伝送されてきた動作クロック信号であることを示す情報を識別して動作クロック信号を前記コンテンツ再生装置が受信し当該動作クロック信号に同期した再生装置受信動作クロック信号を出力するステップと、前記コンテンツ再生装置が前記コンテンツ出力装置から動作クロック信号を受信した場合、前記再生装置受信動作クロック信号を用いて再生装置動作クロック信号に変換し、前記コンテンツ再生装置が前記コンテンツ出力装置から予め定めた時間内に動作クロック信号を受信しなかった場合、前記再生装置基準動作クロック信号を用いて再生装置動作クロック信号に変換するステップと、前記再生装置動作クロック信号に基づいて動作しコンテンツデータを再生するステップと、前記再生装置動作クロック信号に基づいて動作し前記コンテンツデータを前記マルチメディアデータ伝送ケーブルを介して前記コンテンツ出力装置に伝送するステップと、前記出力装置基準動作クロック信号に基づいて動作し前記コンテンツ再生装置から前記マルチメディアデータ伝送ケーブルを介して伝送されてきたコンテンツデータが前記コンテンツ出力装置に入力されるステップと、前記出力装置基準動作クロック信号に基づいて動作しコンテンツデータを前記コンテンツ出力装置から外部に出力するステップとを備える方法である。
【手続補正５】
【補正対象書類名】明細書
【補正対象項目名】００２３
【補正方法】変更
【補正の内容】
【００２３】
コンテンツ再生装置200とコンテンツ出力装置300は、マルチメディアデータ伝送ケーブル400及びデジタルオーディオ伝送ケーブルであるSPDIF伝送ケーブル500a、500b、500cにより接続されている。コンテンツ再生装置200とコンテンツ出力装置300は、コンテンツデータを伝送するため、マルチメディアデータ伝送ケーブル400で接続されている。本実施例においては、このコンテンツデータを伝送するマルチメディアデータ伝送ケーブル400としてＨＤＭＩ（登録商標）ケーブルを用いる。コンテンツ再生装置200のデータ出力部260及びコンテンツ出力装置300のデータ入力部310は、ＨＤＭＩ（登録商標）に対応したインターフェース機能を有し、ＨＤＭＩ（登録商標）ケーブルを使用することにより、コンテンツ再生装置200とコンテンツ出力装置300との間の機器認証やデータ転送の保護を行えるとともに、オーディオデータ・ビデオデータを１本のケーブルにより伝送することができる。
【手続補正６】
【補正対象書類名】明細書
【補正対象項目名】００３０
【補正方法】変更
【補正の内容】
【００３０】
また、再生装置動作クロック変換部230は、第1周波数変換部(図示せず)、第2周波数変換部(図示せず)、信号切換部(図示せず)を備える。第1周波数変換部は、周波数の変動が大きい信号にも対応可能な入力周波数ゲインの高い周波数変換部である。第2周波数変換部は、周波数の変動が比較的小さい信号に対応し、所定の周波数に対して誤差が小さい周波数の動作クロック信号に変換することが可能な入力周波数ゲインの低い周波数変換部である。信号切換部は、再生装置基準動作クロック発生部210から再生装置動作クロック変換部230に入力された基準動作クロック信号とSPDIF入出力部220から再生装置動作クロック変換部230に入力された受信動作クロック信号とを、後述する再生装置制御部270の制御に基づいて切り換える信号切換部である。
【手続補正７】
【補正対象書類名】明細書
【補正対象項目名】００３１
【補正方法】変更
【補正の内容】
【００３１】
具体的には、再生装置動作クロック変換部230において、信号切換部は、再生装置制御部270の制御に基づいて、SPDIF入出力部220が48kHzのクロックを受信し生成出力する24MHzの受信動作クロック信号、または、再生装置基準動作クロック発生部210が発生した24MHzの基準動作クロック信号のいずれかに入力元を切り換える。第1周波数変換部は、入力した24MHzの動作クロック信号を13.5MHzの動作クロック信号に変換し、その13.5MHzの動作クロック信号を第2周波数変換部に出力する。第2周波数変換部は、13.5MHzの動作クロック信号を更に27MHzの動作クロック信号に変換し、コンテンツ発生部240、再生装置信号処理部250、データ出力部260等に出力する。なお、第１周波数変換部は、入力した24MHzの動作クロック信号を27MHzの動作クロック信号に変換して、その27MHzの動作クロック信号を第2周波数変換部に出力し、第2周波数変換部は、27MHzの動作クロックを更に27MHzの動作クロック信号に変換するようにしてもよい。
【手続補正８】
【補正対象書類名】明細書
【補正対象項目名】００３２
【補正方法】変更
【補正の内容】
【００３２】
SPDIF入出力部220から入力する24MHzの動作クロック信号は、SPDIFケーブル500aで伝送された48kHzの動作クロック信号に基づいて生成された受信動作クロック信号であり、基準の周波数に対して周波数の変動が大きい信号になる。このため、最初に、入力周波数ゲインが高い第１周波数変換部により基準となる周波数に対して周波数変動幅が狭い動作クロック信号に変換する。つまり、24MHzの動作クロック信号を13.5MHz±5%の周波数範囲の動作クロック信号に変換する。その後、第1周波数変換部から出力された13.5MHz±5%の周波数範囲の動作クロック信号は、入力周波数ゲインの低い第2周波数変換部により、所定周波数に対して更に周波数変動幅が狭い精度の高い動作クロック信号に変換される。つまり、13.5MHz±5%の周波数範囲の動作クロック信号は27MHz±0.5%の周波数範囲の動作クロック信号に変換され、その動作クロック信号は、コンテンツ発生部240、再生装置信号処理部250、データ出力部260等に出力される。コンテンツ発生部240、再生装置信号処理部250、データ出力部260等は、所定周波数に対し誤差が小さい動作クロック信号に同期して動作する。このため、コンテンツ発生部240、再生装置信号処理部250、データ出力部260等は、同期ずれ等がなく動作する。
【手続補正９】
【補正対象書類名】明細書
【補正対象項目名】００７２
【補正方法】変更
【補正の内容】
【００７２】
本実施例のコンテンツデータ伝送システム100は、コンテンツ再生装置200とコンテンツ出力装置300が、それぞれ出力装置クロック動作モードに対応可能か否かを確認するために、モード確認処理を行う構成について説明したが、このようなモード確認処理を行わずに、SPDIF入出力部220に入力されるクロック信号の信頼性を確認するために、動作クロック信号にコンテンツ出力装置300からの信号であることを示すデータを重畳し、コンテンツ再生装置200側で受信した動作クロック信号にコンテンツ出力装置300からの信号であることを示すデータが重畳されている場合のみ、出力装置クロック動作モードで動作する構成としても良い。例えば、出力装置制御部380は、SPDIFクロック出力部350が動作クロックをSPDIF入出力部220に送信する場合、予め定めたバイフェーズの信号を動作クロック信号に重畳して送信するようSPDIFクロック出力部350を制御し、再生装置制御部270は、SPDIF入出力部220が受信した動作クロックに予め定めたバイフェーズの信号が重畳されているか否かを判別し、バイフェーズの信号が重畳されている場合は出力装置クロック動作モードで動作するよう制御し、バイフェーズの信号が重畳されていない場合は、再生装置動作クロック変換部230の信号切換部を切り換え、再生装置基準動作クロック発生部210が発生した基準動作クロック信号に基づいて再生装置動作クロック信号を生成し、当該再生装置動作クロック信号に基づいて動作するよう制御しても良い。これにより、モード確認処理に必要な回路構成を省略することができ、また、モード確認処理に必要な時間を短縮することができる。また、万一、ＨＤＭＩ（登録商標）ケーブル400をコンテンツ出力装置300でない装置と接続した状態で、コンテンツ出力装置300でない装置から送信された動作クロック信号を受信してしまい、再生するオーディオデータにジッターが発生したり、音質や画質が劣化してしまうことを防止することができる。
【手続補正１０】
【補正対象書類名】明細書
【補正対象項目名】００７３
【補正方法】変更
【補正の内容】
【００７３】
本実施例のコンテンツデータ伝送システム100は、SPDIFクロック出力部350がSPDIF入出力部220に対して48kHzの動作クロック信号を送信し、その48kHzの動作クロック信号から27MHzの動作クロック信号を生成し、この27MHzの動作クロック信号から48kHz系の動作クロック信号である24MHzの動作クロック信号及び44.1kHz系の動作クロック信号である22MHzの動作クロック信号を生成する構成としたが、例えば、複数のクロック信号を切換えて送信できる構成としても良い。例えば、SPDIFクロック出力部350は、48kHzの動作クロック信号と44.1kHzの動作クロック信号とを切換えて送信できるような構成とし、SPDIF入出力部220は受信した動作クロック周波数に基づいて動作する構成とする。これにより、例えば、ＤＶＤやＢＤ等の記録媒体に記録されたビデオデータを含むコンテンツデータを再生する場合は、48kHzの動作クロック信号で動作するように切換えることができ、また、ＣＤ等の記録媒体に記録されたビデオデータを含まないコンテンツデータを再生する場合は、44.1kHzの動作クロック信号で動作するように切換えることができるため、再生するコンテンツデータに応じて複数の動作クロックのうちから任意の動作クロックを選択して動作させることができる。